(57)【特許請求の範囲】
【請求項１】
１つの音量調節操作手段を兼用し、複数の音量調節項目を切り換えて個別に音量調節可能とした電話機の音量調節装置において、
１つの音量調節操作手段で兼用して、受話器の受話音量、ハンズフリー通話時または留守録音メッセージ再生時の拡声スピーカからの拡声音量を含む調節頻度の高い音声に関係する複数の音量調節項目を切り換えて、個別に音量調節操作を行う第１の音量調節操作手段と、
１つの音量調節操作手段で兼用して、呼び出し音を含む調節頻度の低い音声に関係しない複数の音量調節項目を切り換えて、個別に音量調節操作を行う第２の音量調節操作手段と、
第１の音量調節操作手段の現在の音量調節対象項目を示す第１の音量調節モードの切り換えと、第２の音量調節操作手段の現在の音量調節対象項目を示す第２の音量調節モードの切り換えを行う切り換え手段と、
第１の音量調節操作手段が操作されると、その時点での第１の音量調節モードに対応する音量調節項目の音量調節制御をし、第２の音量調節操作手段が操作されると、その時点での第２の音量調節モードに対応する音量調節項目の音量調節制御をする音量調節制御手段と、
を含むことを特徴とする電話機の音量調節装置。
【請求項２】
切り換え手段は、電話機の動作状態に応じて第１の音量調節モードの切り換えを行うようにしたこと、
を特徴とする請求項１記載の電話機の音量調節装置。
【請求項３】
切り換え手段は、電話機が受話器による通話中のとき、第１の音量調節モードを受話器の受話音量とし、電話機がハンズフリー通話中または留守録音メッセージ再生中のとき、第１の音量調節モードを拡声スピーカの拡声音量とするようにしたこと、
を特徴とする請求項２記載の電話機の音量調節装置。
【請求項４】
切り換え手段は、電話機の動作状態に応じて第２の音量調節モードの切り換えを行うようにしたこと、
を特徴とする請求項１または２記載の電話機の音量調節装置。
【請求項５】
切り換え手段は、電話機が呼び出し中のとき、または電話機が待機中及び呼び出し中のとき、または電話機が呼び出し中及び通話中のとき、第２の音量調節操作手段の音量調節モードを呼び出し音量とするようにしたこと、
を特徴とする請求項４記載の電話機の音量調節装置。
【請求項６】
第１の音量調節操作手段は上と下（または右と左）に配置された音量アップキーと音量ダウンキーであり、
第２の音量調節操作手段は第１の音量調節操作手段の近傍で右と左（または上と下）に配置された音量アップキーと音量ダウンキーとしたこと、
を特徴とする請求項１記載の電話機の音量調節装置。
【請求項７】
音量の表示を行う表示手段と、
第１の音量調節操作手段によって音量調節された音量を表示手段に上下（左右）に変化するグラフで表示させ、第２の音量調節操作手段によって音量調節された音量を表示手段に左右（上下）に変化するグラフで表示させる音量表示制御手段と、
を備えたことを特徴とする請求項６記載の電話機の音量調節装置。
【請求項８】
１つの音量調節操作手段を兼用して、複数の音量調節項目を切り換えて個別に音量調節可能とした電話機の音量調節装置において、
１つの音量調節操作手段で兼用して、受話器の受話音量、ハンズフリー通話時または留守録音メッセージ再生時の拡声スピーカからの拡声音量を含む調節頻度の高い音声に関係する複数の音量調節項目を切り換えて、個別に音量調節操作を行う第１の音量調節操作手段と、
呼び出し音量の音量調節操作を行う第２の音量調節操作手段と、
第１の音量調節操作手段の現在の音量調節対象項目を示す第１の音量調節操作手段の音量調節モードの切り換えを行う切り換え手段と、
第１の音量調節操作手段が操作されると、その時点での第１の音量調節操作手段の音量調節モードに対応する音量調節項目の音量調節制御をし、第２の音量調節操作手段が操作されると、呼び出し音量の音量調節制御をする音量調節制御手段と、
を含むことを特徴とする電話機の音量調節装置。
【請求項９】
切り換え手段は、電話機の動作状態に応じて第１の音量調節操作手段の音量調節モードの切り換えを行うようにしたこと、
を特徴とする請求項８記載の電話機の音量調節装置。
【請求項１０】
切り換え手段は、電話機が受話器による通話中のとき、第１の音量調節操作手段の音量調節モードを受話器の受話音量とし、電話機がハンズフリー通話中または留守録音メッセージ再生中のとき、第１の音量調節操作手段の音量調節モードを拡声スピーカの拡声音量とするようにしたこと、
を特徴とする請求項９記載の電話機の音量調節装置。
【請求項１１】
第１の音量調節操作手段は上と下（または右と左）に配置された音量アップキーと音量ダウンキーであり、
第２の音量調節操作手段は第１の音量調節操作手段の近傍で右と左（または上と下）に配置された音量アップキーと音量ダウンキーとしたこと、
を特徴とする請求項８記載の電話機の音量調節装置。
【請求項１２】
音量の表示を行う表示手段と、
第１の音量調節操作手段によって音量調節された音量を表示手段に上下（左右）に変化するグラフで表示させ、第２の音量調節操作手段によって音量調節された音量を表示手段に左右（上下）に変化するグラフで表示させる音量表示制御手段と、
を備えたことを特徴とする請求項１１記載の電話機の音量調節装置。
【発明の詳細な説明】
【０００１】
【発明の属する技術分野】
本発明は電話機の音量調節装置に係り、とくに、受話器の受話音量、ハンズフリー通話時または留守録音メッセージ再生時の拡声スピーカの拡声音量、呼び出し音量等を個別に音量調節可能な電話機の音量調節装置に関する。
【０００２】
【従来の技術】
電話機には使用環境やユーザの個人差によらず、つねに最適な音量で使用できるようにするため、音量調節機能が付いている。ところが、電話機には、受話器で通話中の受話音量、ハンズフリー通話時または留守録音メッセージ再生時の拡声スピーカの拡声音量、呼び出し音量など、多数の音量調節項目が有り、個々の調節項目に対し独立した音量調節操作手段を設けることにすると、多数の操作手段が必要となり、電話機が大型となってしまう。このため、従来から、１つの音量調節操作手段を兼用し、受話器で通話中の受話音量と呼び出し音量などの複数の音量調節項目を、電話機の動作状態に応じて自動的に切り換えて個別に音量調節可能としている。
【０００３】
【発明が解決しようとする課題】
けれども、従来の１つの音量調節操作手段を兼用して音量調節する電話機では、音量調節操作をしたときの電話機の動作状態で一義的に調節対象が決まってしまうため、例えば、呼び出し音が鳴ったときに大き過ぎたので、受話器を持ち上げたあと、あわてて呼び出し音量を小さくしようとして音量調節操作をしたら、既に通話状態となっていたので、受話音量が小さくなってしまうという操作ミスを犯すことがあった。また、受話音量の調節は相手の声の大小に従い比較的頻繁に行うため、１つの兼用の音量調節操作手段を用いて受話音量の調節をすることに慣れてしまい、通話時に受話音量が小さかったとき、受話音量を増大しようとして通話後に兼用の音量調節操作手段を用いて音量調節してしまうことがある。すると、受話音量でなく呼び出し音量が変わって、大きな呼び出し音に驚くことがあった。
本発明は上記した従来技術の問題に鑑み、誤操作を少なくした電話機の音量調節装置を提供することを、その目的とする。
【０００４】
【課題を解決するための手段】
請求項１記載の電話機の音量調節装置では、１つの音量調節操作手段を兼用し、複数の音量調節項目を切り換えて個別に音量調節可能とした電話機において、１つの音量調節操作手段で兼用して、受話器の受話音量、ハンズフリー通話時または留守録音メッセージ再生時の拡声スピーカからの拡声音量を含む調節頻度の高い音声に関係する複数の音量調節項目を切り換えて、個別に音量調節操作を行う第１の音量調節操作手段と、１つの音量調節操作手段で兼用して、呼び出し音を含む調節頻度の低い音声に関係しない複数の音量調節項目を切り換えて、個別に音量調節操作を行う第２の音量調節操作手段と、第１の音量調節操作手段の現在の音量調節対象項目を示す第１の音量調節モードの切り換えと、第２の音量調節操作手段の現在の音量調節対象項目を示す第２の音量調節モードの切り換えを行う切り換え手段と、第１の音量調節操作手段が操作されると、その時点での第１の音量調節モードに対応する音量調節項目の音量調節制御をし、第２の音量調節操作手段が操作されると、その時点での第２の音量調節モードに対応する音量調節項目の音量調節制御をする音量調節制御手段と、を含むことを特徴としている。
請求項２では、請求項１において、切り換え手段は、電話機の動作状態に応じて第１の音量調節モードの切り換えを行うようにする。
請求項３では請求項２において、切り換え手段は、電話機が受話器による通話中のとき、第１の音量調節モードを受話器の受話音量とし、電話機がハンズフリー通話中または留守録音メッセージ再生中のとき、第１の音量調節モードを拡声スピーカの拡声音量とする。
請求項４では請求項１または２において、切り換え手段は、電話機の動作状態に応じて第２の音量調節モードの切り換えを行う。
請求項５では請求項４において、切り換え手段は、電話機が呼び出し中のとき、または電話機が待機中及び呼び出し中のとき、または電話機が呼び出し中及び通話中のとき、第２の音量調節操作手段の音量調節モードを呼び出し音量とする。
請求項６では請求項１において、第１の音量調節操作手段は上と下（または右と左）に配置された音量アップキーと音量ダウンキーであり、第２の音量調節操作手段は第１の音量調節操作手段の近傍で右と左（または上と下）に配置された音量アップキーと音量ダウンキーとしたこと、を特徴としている。
請求項７では請求項６において、音量の表示を行う表示手段と、第１の音量調節操作手段によって音量調節された音量を表示手段に上下（左右）に変化するグラフで表示させ、第２の音量調節操作手段によって音量調節された音量を表示手段に左右（上下）に変化するグラフで表示させる音量表示制御手段と、を備えたことを特徴としている。
【０００５】
請求項８記載の電話機の音量調節装置では、１つの音量調節操作手段を兼用して、複数の音量調節項目を切り換えて個別に音量調節可能とした電話機の音量調節装置において、１つの音量調節操作手段で兼用して、受話器の受話音量、ハンズフリー通話時または留守録音メッセージ再生時の拡声スピーカからの拡声音量を含む調節頻度の高い音声に関係する複数の音量調節項目を切り換えて、個別に音量調節操作を行う第１の音量調節操作手段と、呼び出し音量の音量調節操作を行う第２の音量調節操作手段と、第１の音量調節操作手段の現在の音量調節対象項目を示す第１の音量調節操作手段の音量調節モードの切り換えを行う切り換え手段と、第１の音量調節操作手段が操作されると、その時点での第１の音量調節操作手段の音量調節モードに対応する音量調節項目の音量調節制御をし、第２の音量調節操作手段が操作されると、呼び出し音量の音量調節制御をする音量調節制御手段と、を含むことを特徴としている。
請求項９では請求項８において、切り換え手段は、電話機の動作状態に応じて第１の音量調節操作手段の音量調節モードの切り換えを行う。
請求項１０では請求項９において、切り換え手段は、電話機が受話器による通話中のとき、第１の音量調節操作手段の音量調節モードを受話器の受話音量とし、電話機がハンズフリー通話中または留守録音メッセージ再生中のとき、第１の音量調節操作手段の音量調節モードを拡声スピーカの拡声音量とする。
請求項１１では請求項８において、第１の音量調節操作手段は上と下（または右と左）に配置された音量アップキーと音量ダウンキーであり、第２の音量調節操作手段は第１の音量調節操作手段の近傍で右と左（または上と下）に配置された音量アップキーと音量ダウンキーとしたこと、を特徴としている。
請求項１２では請求項１１において、音量の表示を行う表示手段と、第１の音量調節操作手段によって音量調節された音量を表示手段に上下（左右）に変化するグラフで表示させ、第２の音量調節操作手段によって音量調節された音量を表示手段に左右（上下）に変化するグラフで表示させる音量表示制御手段と、を備えたことを特徴としている。
【０００６】
【発明の実施の形態】
次に、本発明の一つの実施の形態を図１を参照して説明する。図１は本発明に係る音量調節機能付の電話機の構成図である。
１は局側から延設された回線、２は回線１を介して局側の交換機と電話機との接続を行う回線接続部、３は待ち受け中に回線接続部を介して局側から呼び出し音信号が入力されると着信検出信号を出力する着信検出部、４は受話器であり、受話スピーカ５、送話マイク６を有する。受話スピーカ５の前段には音量調節用の電子ボリューム部７とアンプ部８が設けられており、送話マイク６の出力側にはマイクアンプ部９が設けられている。１０は受話器４の上げ下げでオン・オフするフックスイッチ、１１と１２はハンズフリー通話に用いる拡声スピーカとマイクであり、拡声スピーカ１１の前段には音量調節用の電子ボリューム部１３とアンプ部１４が設けられており、マイク１２の出力側にはマイクアンプ部１５が設けられている。１６は録音・再生部であり、留守録モード時に着信が有ると、録音媒体１７に録音された応答メッセージを再生して出力したり、相手のメッセージを録音媒体１８に録音させ、留守録モード解除時に録音媒体１８に録音された相手の留守録音メッセージを再生して出力したりする。１９はビープ音信号を発生するビープ音発生部、２０はキー操作時に確認用のビープ音を出力するビープ音スピーカであり、前段には音量調節用の電子ボリューム部２１とアンプ部２２が設けられている。
【０００７】
２３は通話路スイッチ部であり、後述するコントロール部の制御に従い、待ち受け中に着信が有ると、回線接続部２からの呼び出し音信号を拡声スピーカ１１の側に出力し、受話器４を用いた通話時は回線接続部２からの信号を受話スピーカ５の側へ出力し、送話マイク６からの信号を回線接続部２へ出力する。また、ハンズフリー通話時は回線接続部２からの信号を拡声スピーカ１１の側へ出力し、マイク１２からの信号を回線接続部２へ出力する。更に、留守録モード時に着信が有ると、録音・再生部１６で再生させた応答メッセージを回線接続部２へ出力して相手側に送出させ、回線接続部２からの信号を録音・再生部１６へ出力して相手のメッセージを録音させる。
【０００８】
２４はキー操作部であり、０〜９の数字キー２５1 〜２５10、＊、＃の記号キー２５11、２５12、留守録キー２６、ハンズフリー通話用フックキー２７のほか、音量アップキー２８と音量ダウンキー２９から成る第１の音量調節操作手段３０と、音量アップキー３１と音量ダウンキー３２から成る第２の音量調節操作手段３３が設けられている。第１の音量調節操作手段３０は、１つの音量調整操作手段で兼用して、受話器の受話音量と、ハンズフリー通話時の拡声スピーカからの拡声出力または留守録音メッセージの拡声スピーカからの拡声出力時の拡声音量など、電話機において比較的調節頻度の高い音声に関係する調節項目を切り換えて音量調節するためのものである。第２の音量調節操作手段３３は、１つの音量調整操作手段で兼用して、着信時の呼び出し音量、キー操作確認用のビープ音量など、音声に関係しない電話機において比較的調節頻度の低い調節項目を切り換えて音量調節するためのものである。３４はメモリ部であり、受話器の受話音量データＶＤＲ、拡声スピーカの拡声音量データＶＤＬ、呼び出し音量データＶＤＡ、ビープ音量データＶＤＢが読み書き自在に記憶されている。ＶＤＲ、ＶＤＬ、ＶＤＡ、ＶＤＢはいずれも最小の１から最大の７まで７段階の値を取るものとする。メモリ部３４には、第１の音量調節操作手段３０での現在の音量調節対象項目を示す第１の音量調節モードデータＶＲＭ１と、第２の音量調節操作手段３３での現在の音量調節対象項目を示す第２の音量調節モードデータＶＲＭ２と、拡声スピーカ１１がハンズフリー通話のための拡声出力中または留守録音メッセージの拡声出力中か否かを示すフラグＦ（０；拡声出力中でない、１；拡声出力中）も記憶されている。
【０００９】
３５は表示部であり、第１の音量調節操作手段３０または第２の音量調節操作手段３３で音量調節操作がされたときに、現在の音量調節対象項目名と音量を表示する（図１２、図１３参照）。３６はダイヤル操作時に数値に対応するトーン信号を発生し、回線接続部２を介して回線１の側に出力させるトーン発生部、３７はマイコン構成のコントロール部であり、各部を制御し、待ち受け、発信通話、着信通話、留守録をさせたり、受話器の受話音量、拡声スピーカの拡声音量、呼び出し音量、ビープ音量等の各種音量調節項目の音量調節制御を行う。
【００１０】
図２〜図８はコントロール部３７のメインの制御処理を示すフローチャート、図９〜図１１は周期的に実行される割り込み処理を示すフローチャート、図１２と図１３は音量調節操作時の表示部３５の表示例を示す説明図であり、以下、これらの図を参照して上記した実施の形態の動作を説明する。
なお、予め、ＶＤＲ、ＶＤＬ、ＶＤＡ、ＶＤＢはいずれも標準的な音量４に設定されており、受話器４が持ち上げられていないものとする（フックスイッチ１０がオンフック状態）。
【００１１】
（１）待ち受け
電源がオンすると、コントロール部３７は拡声スピーカ１１が現在ハンズフリー通話のための拡声音声出力中でなく、かつメッセージ出力のための拡声音声出力中でないことを登録するためＦ＝０とし（図２のステップＳ１０）、受話器の受話音量データＶＤＲに基づき電子ボリューム部７に対する音量制御をして標準の受話器の受話音量に設定し、ビープ音量データＶＤＢに基づき電子ボリューム部２１に対する音量制御をして標準のビープ音量に設定し、第２の音量調節操作手段３３の現在の音量調節対象項目を示す第２の音量調節モードデータＶＤＭ２を呼び出し音量とし、第１の音量調節操作手段３０の現在の音量調節対象項目を示す第１の音量調節モードデータＶＤＭ１を受話器の受話音量とし、呼び出し音量データＶＤＡに基づき電子ボリューム部１３に対する音量制御をして標準呼び出し音量に設定する（ステップＳ１１〜Ｓ１５）。そして、待ち受け状態となり、局側から呼び出し音信号が入力されて着信検出部３で着信が検出されたか、受話器４が持ち上げられてフックスイッチ１０がオフフック状態になったか、ハンズフリー通話用フックキー２７のキー操作がされたか、留守録キー２６が操作されたかのチェックをする（ステップＳ１６〜Ｓ１９）。
【００１２】
（２）待ち受け中の受話器の受話音量の調節
ここで、待ち受け中に受話器の受話音量を大きく（小さく）しておきたい場合、第１の音量調節操作手段３０の音量アップキー２８（音量ダウンキー２９）を単独で１回押す。すると、コントロール部３７は、図９のステップＳ２００（ステップＳ２０９）でＹＥＳと判断し、ビープ音発生部１９を制御し、短時間だけビープ音信号を発生させ、ビープ音スピーカ２０から標準ビープ音量でキー操作確認用のビープ音を出力させる（ステップＳ２０１（Ｓ２１０））。第１の音量調節モードが現在、受話器の受話音量なのでＶＤＲを１段階大きく（小さく）する（ステップＳ２０２、Ｓ２０３（Ｓ２１１、Ｓ２１２））。そして、ＶＤＲに基づき電子ボリューム部７に対する音量制御をし、受話器の受話音量を１段階増大（減少）させる（ステップＳ２０４）。そして、表示部３５にＶＤＲに基づき現在の受話器受話音量と第１の音量調節操作手段３０の現在の音量調節対象項目名を、第１の音量調節操作手段３０のキー配置と同じく縦方向のバーグラフで一定時間表示させる（ステップＳ２０５、図１２の（１）参照）。受話器の受話音量のバーグラフ表示が第１の音量調節操作手段３０のキー配置と同じ方向でなされるので、所望の音量調節項目について正しく操作しているか容易に判断できる。
【００１３】
（３）呼び出し
待ち受け中に局側から自機宛に呼び出し音信号が送出されると、回線接続部２を介して着信検出部３に入力され、該着信検出部３は着信検出信号を出力する。すると、コントロール部３７は着信有りと判断し（図２のステップＳ１６でＹＥＳ）、通話路スイッチ部２３を制御して回線接続部２からの入力が拡声スピーカ１１の側へ出力されるようにする（図３のステップＳ２０）。これにより、拡声スピーカ１１からは標準の音量で呼び出し音が出力される。
【００１４】
（４−１）受話器での通話
このあと、コントロール部３７はフックスイッチ１０がオフフック状態になったか、ハンズフリー通話用フックキー２７が押されたか、着信検出部３で呼び出し音が検出されなくなったかチェックし（ステップＳ２１〜Ｓ２３）、受話器４で通話するため受話器４を持ち上げると、フックスイッチ１０がオフフック状態となるので、コントロール部３７はステップＳ２１でＹＥＳと判断し、回線接続部２をオフフック制御して、相手方との通話状態に移行させ（ステップＳ２４）、また、通話路スイッチ部２３を制御して回線接続部２からの入力が受話器４の受話スピーカ５の側へ出力され、送話マイク６の側からの入力が回線接続部２へ出力されるようにし、受話器４での通話を可能とする（ステップＳ２５）。相手方からの音声はユーザ所望の受話音量で聴取できる。
【００１５】
（４−２）受話器で通話中の受話音量の調節
若し、受話器４での受話音量がまだ小さい（大きい）場合、受話器４での通話中に、第１の音量調節操作手段３０の音量アップキー２８（音量ダウンキー２９）を１回押す。すると、コントロール部３７は短時間だけビープ音を出力させ、第１の音量調節操作手段３０の音量調節モードが現在、受話器の受話音量なのでＶＤＲを１段階大きく（小さく）する（図９のステップＳ２００〜Ｓ２０３（Ｓ２０９〜Ｓ２１２））。そして、ＶＤＲに基づき電子ボリューム部７に対する音量制御をし、受話器の受話音量を１段階増大（減少）させる（ステップＳ２０４）。そして、表示部３５にＶＤＲに基づき現在の受話器受話音量と第１の音量調節操作手段３０の現在の音量調節対象項目名を、第１の音量調節操作手段３０のキー配置と同じく縦方向のバーグラフで一定時間表示させる（ステップＳ２０５）。
【００１６】
（４−３）終話
相手方との通話が終わり、ユーザが受話器４を置くとフックスイッチ１０が開いてオンフック状態となる。すると、コントロール部３７は図３のステップＳ２６でＹＥＳと判断し、回線接続部２に対しオンフック制御をして通話を終了させ（ステップＳ２７）、図２のステップＳ１６に戻り待機状態となる。
【００１７】
（５−１）ハンズフリー通話モードでの通話
若し、着信があったとき、手が塞がっているなどしてハンズフリー通話をしたい場合、受話器４は置いた状態のままハンズフリー通話用フックキー２７を１回押す。すると、コントロール部３７はステップＳ２２でＹＥＳと判断し、短時間だけビープ音を出力させ、ハンズフリー通話モードとなり、回線接続部２をオフフック制御して、相手方との通話状態に移行させ、Ｆ＝１とし、第１の音量調節モードデータＶＤＭ１を拡声音量とし、拡声音量データＶＤＬに基づき電子ボリューム部１３に対する音量制御をして標準の拡声音量に設定し、また、通話路スイッチ部２３を制御して回線接続部２からの入力が拡声スピーカ１１の側へ出力され、マイク１２の側からの入力が回線接続部２へ出力されるようにし、マイク１２と拡声スピーカ１１を用いたハンズフリー通話が可能とする（図４のステップＳ３０〜Ｓ３６）。相手方からの音声は拡声スピーカ１１からユーザ所望の拡声音量で聴取できる。
【００１８】
（５−２）ハンズフリー通話中の拡声音量の調節
若し、拡声スピーカ１１からの拡声音量が小さい（大きい）場合、ハンズフリー通話中に、第１の音量調節操作手段３０の音量アップキー２８（音量ダウンキー２９）を１回押す。すると、コントロール部３７は短時間だけビープ音を出力させ、第１の音量調節操作手段３０の音量調節モードが現在、拡声音量なのでＶＤＬを１段階大きく（小さく）する（図９のステップＳ２００〜Ｓ２０２、Ｓ２０６（Ｓ２０９〜Ｓ２１１、Ｓ２１３））。そして、ＶＤＬに基づき電子ボリューム部１３に対する音量制御をし、拡声音量を１段階増大（減少）させる（ステップＳ２０７）。これにより相手の声が聞きやすくなる。そして、表示部３５にＶＤＬに基づき現在の受話器の受話音量と第１の音量調節操作手段３０の音量調節対象項目名を、第１の音量調節操作手段３０のキー配置と同じく縦方向のバーグラフで一定時間表示させる（ステップＳ２０８。図１２の（２）参照）。拡声音量のバーグラフ表示も第１の音量調節操作手段３０のキー配置と同じ方向でなされるので、所望の音量調節項目について正しく操作しているか容易に判断できる。
【００１９】
（５−３）終話
相手方との通話が終わり、ハンズフリー通話用フックキー２７を１回押すと、コントロール部３７は図４のステップＳ３７でＹＥＳと判断し、短時間だけビープ音を出力させ、ハンズフリー通話モードを解除し、回線接続部２に対しオンフック制御をして通話を終了させ、Ｆ＝０としたのち（ステップＳ３８〜Ｓ４１）、図２のステップＳ１４に戻り、第１の音量調節モードデータＶＤＭ１を受話器の受話音量とし、呼び出し音量データＶＤＡに基づき電子ボリューム部１３に対する音量制御をしてユーザ所望の呼び出し音量に設定し（ステップＳ１５）、待機状態となる。
【００２０】
（６−１）受話器での発信通話
ユーザから発信し、受話器４で通話したい場合、まず受話器４を持ち上げるとフックスイッチ１０がオフフック状態となるので、コントロール部３７は図２のステップＳ１７でＹＥＳと判断し、回線制御部２に対しオフフック制御をし、通話路スイッチ部２３を制御して回線制御部２からの入力が受話器４の受話スピーカ５の側へ出力されるようにし、送話マイク６の側からの入力が回線制御部２へ出力されるようにする（図５のステップＳ５０、Ｓ５１）。そして、相手の電話番号が１２３−４５６７の場合、「１」キー２５1 、「２」キー２５2 、「３」キー２５3 、「４」キー２５4 、「５」キー２５5 、「６」キー２５6 、「７」キー２５7 の順に１回ずつ押す。まず「１」キー２５1 を１回押したとき、コントロール部３７は、短時間だけビープ音を出力させ、トーン発生部３６を制御してダイヤル数値「１」に対応するトーン信号を発生させ、回線接続部２を介して局側に送出させる（ステップＳ５２〜Ｓ５４）。他のキーが押されたときも同様にして短時間だけビープ音を出力させ、数値に対応するトーン信号を発生させて局側へ出力させる。
相手側が電話に出ると、通話接続状態となり、相手方からの音声は受話スピーカ５からユーザ所望の受話音量で聴取できる。
【００２１】
（６−２）受話器で通話中の受話音量の調節
若し、受話器４での受話音量がまだ小さい（大きい）場合、受話器４での通話中に、第１の音量調節操作手段３０の音量アップキー２８（音量ダウンキー２９）を１回押す。すると、コントロール部３７は短時間だけビープ音を出力させ、第１の音量調節操作手段３０の音量調節モードが現在、受話器の受話音量なのでＶＤＲを１段階大きく（小さく）する（図９のステップＳ２００〜Ｓ２０３（Ｓ２０９〜Ｓ２１２））。そして、ＶＤＲに基づき電子ボリューム部７に対する音量制御をし、受話器の受話音量を１段階増大（減少）させる（ステップＳ２０４）。そして、表示部３５にＶＤＲに基づき現在の受話器受話音量と第１の音量調節操作手段３０の音量調節対象項目名を、第１の音量調節操作手段３０のキー配置と同じく縦方向のバーグラフで一定時間表示させる（ステップＳ２０５）。
【００２２】
（６−３）終話
相手方との通話が終わり、ユーザが受話器４を置くとフックスイッチ１０が開いてオンフック状態となる。すると、コントロール部３７は図５のステップＳ５５でＹＥＳと判断し、回線接続部２に対しオンフック制御をして通話を終了させ（ステップＳ５６）、図２のステップＳ１６に戻り待機状態となる。
【００２３】
（７−１）ハンズフリー通話モードでの発信通話
これと異なり、ユーザから発信し、マイク１２と拡声スピーカ１１を用いてハンズフリー通話をしたい場合、ハンズフリー通話用フックキー２７を１回押すとコントロール部３７は図２のステップＳ１８でＹＥＳと判断し、短時間だけビープ音を出力させ、ハンズフリー通話モードとなり、回線接続部２をオフフック制御して、相手方との通話状態に移行させ、Ｆ＝１とし、第１の音量調節モードデータＶＤＭ１を拡声音量とし、拡声音量データＶＤＬに基づき電子ボリューム部１３に対する音量制御をして所望の拡声音量に設定し、また、通話路スイッチ部２３を制御して回線接続部２からの入力が拡声スピーカ１１の側へ出力され、マイク１２の側からの入力が回線接続部２へ出力されるようにする（図６のステップＳ６０〜Ｓ６６）。そして、相手の電話番号が１２３−４５６７の場合、「１」キー２５1 、「２」キー２５2 、「３」キー２５3 、「４」キー２５4 、「５」キー２５5 、「６」キー２５6 、「７」キー２５7 の順に１回ずつ押す。数値キーが押される度に、コントロール部３７は、短時間だけビープ音を出力させ、トーン発生部３６を制御してダイヤル数値に対応するトーン信号を発生させ、回線接続部２を介して局側に送出させる（ステップＳ６７〜Ｓ６９）。
相手側が電話に出ると、通話接続状態となり、相手方からの音声は拡声スピーカ１１からユーザ所望の拡声音量で聴取できる。
【００２４】
（７−２）ハンズフリー通話中の拡声音量の調節
若し、ハンズフリー通話中における拡声スピーカ１１からの拡声音量がまだ小さい（大きい）場合、ハンズフリー通話中に、第１の音量調節操作手段３０の音量アップキー２８（音量ダウンキー２９）を１回押す。すると、コントロール部３７は短時間だけビープ音を出力させ、第１の音量調節操作手段３０の音量調節モードが現在、拡声音量なのでＶＤＬを１段階大きく（小さく）する（図９のステップＳ２００〜Ｓ２０２、Ｓ２０６（Ｓ２０９〜Ｓ２１１、Ｓ２１３））。そして、ＶＤＬに基づき電子ボリューム部１３に対する音量制御をし、拡声音量を１段階増大（減少）させる（ステップＳ２０７）。これにより相手の声が聞きやすくなる。そして、表示部３５にＶＤＬに基づき現在の受話器受話音量と第１の音量調節操作手段３０の音量調節対象項目名を、第１の音量調節操作手段３０のキー配置と同じく縦方向のバーグラフで一定時間表示させる（ステップＳ２０８）。
【００２５】
（７−３）終話
相手方との通話が終わり、ハンズフリー通話用フックキー２７を１回押すと、コントロール部３７は図６のステップＳ７０でＹＥＳと判断し、短時間だけビープ音を出力させ、ハンズフリー通話モードを解除し、回線接続部２に対しオンフック制御をして通話を終了させ、Ｆ＝０としたのち（ステップＳ７１〜Ｓ７４）、図２のステップＳ１４に戻り、第１の音量調節モードデータＶＤＭ１を受話器の受話音量とし、呼び出し音量データＶＤＡに基づき電子ボリューム部１３に対する音量制御をしてユーザ所望の呼び出し音量に設定し（ステップＳ１５）、待機状態となる。
【００２６】
（８−１）留守録モード
若し、ユーザが留守にするため電話機を留守録モードに設定したい場合、待ち受け中に留守録キー２６を１回押す。すると、コントロール部３７は図２のステップＳ１９でＹＥＳと判断し、短時間だけビープ音を発生させて留守録モードとなり、通話路スイッチ部２３を制御して回線制御部２からの入力が録音・再生部１６の録音入力端子（ＩＮ）の側へ出力されるようにし、録音・再生部１６の再生出力端子（ＯＵＴ）の側からの入力が回線制御部２へ出力されるようにする。そして録音回数を示すＫを０とし、着信検出部３で着信が検出されか、留守録キー２６が押されるのを待つ（図７のステップＳ８０〜Ｓ８５）。
【００２７】
（８−２）留守録モード中の着信
留守録モード中に外部から着信が有ると、コントロール部３７はステップＳ８４でＹＥＳと判断し、回線接続部２をオフフック制御し、録音・再生部１６を制御し、録音媒体１７に録音された応答メッセージ、たとえば「留守にしております。ご用件をお話し下さい。」を再生させ、相手側に送出させる。そして、録音・再生部１６を制御し、相手方の要件を録音媒体１８に先頭から一定時間分録音させる。そして、録音回数を示すＫを１とし、回線接続部２をオンフック制御する（ステップＳ８６〜Ｓ９０）。
【００２８】
外部から２回目の着信が有ると、コントロール部３７は図７のステップＳ１００でＹＥＳと判断し、回線接続部２をオフフック制御し、録音・再生部１６を制御し、録音媒体１７に録音された応答メッセージを再生させ、続いて、相手方の要件を録音媒体１８に前回録音した続きの箇所から一定時間分録音させる。そして、録音回数を示すＫを２とし、回線接続部２をオンフック制御する（ステップＳ８４、Ｓ８６〜Ｓ９２）。
【００２９】
（８−３）メッセージの再生
外出先から戻ったユーザが留守録モードを解除したい場合、留守録キー２６を１回押す。すると、コントロール部３７はステップＳ８５でＹＥＳと判断し、短時間だけビープ音を発生させて留守録モードを解除する。そして、Ｆ＝１とし、音量調節モードＶＤＭ１を拡声音量とし、ＶＤＬに基づき電子ボリューム部１３に対する音量制御をし、所望の拡声音量とする（ステップＳ１００〜Ｓ１０５）。通話路スイッチ部２３を制御して録音・再生部１６の再生出力端子ＯＵＴの側からの入力が拡声スピーカ１１の側へ出力されるようにする。そして、今回の留守録中の録音回数が１以上かチェックし、ＮＯであれば、録音・再生部１６を制御し、録音媒体１７に録音された案内メッセージ、たとえば「録音メッセージは有りません」を再生させ、拡声スピーカ１１から拡声出力させる（ステップＳ１０６でＮＯ、Ｓ１０７）。録音回数が１以上であれば、録音・再生部１６を制御し、録音媒体１８に録音された相手方からの各メッセージを順に再生させる。ユーザは拡声スピーカ１１から相手方の録音した用件を所望の拡声音量で聴取できる。メッセージの再生が終われば、Ｆ＝０、音量調節モードＶＤＭ１を受話器の受話音量としたのち、待ち受け状態となる（ステップＳ１０８、Ｓ１０９、図２のステップＳ１４、Ｓ１５）。
【００３０】
（８−４）メッセージの再生音量の調節
若し、相手方のメッセージの声が小さすぎる（大き過ぎる）ため、メッセージの再生音量を増大（減少）したい場合、メッセージが拡声出力されている間（第１の音量調節モードが拡声音量となっている間）に、第１の音量調節操作手段３０の音量アップキー２８（音量ダウンキー２９）を１回押す。すると、コントロール部３７は短時間だけビープ音を出力させ、第１の音量調節操作手段３０の音量調節モードが現在、拡声音量なのでＶＤＬを１段階大きく（小さく）する（図９のステップＳ２００〜Ｓ２０２、Ｓ２０６（Ｓ２０９〜Ｓ２１１、Ｓ２１３））。そして、現在、Ｆ＝１なのでＶＤＬに基づき電子ボリューム部１３に対する音量制御をし、拡声音量を１段階増大（減少）させる（ステップＳ２０７）。これにより相手の声が聞きやすくなる。そして、表示部３５にＶＤＬに基づき現在の拡声音量と第１の音量調節操作手段３０の音量調節対象項目名を、第１の音量調節操作手段３０のキー配置と同じく縦方向のバーグラフで一定時間表示させる（ステップＳ２０８）。
【００３１】
（９）呼び出し音量の調節
若し、着信時の呼び出し音が標準音量では小さかった（大きかった）ため、大きく（小さく）したい場合、待機中（待ち受け中）、呼び出し中、通話中、留守録モード中等の任意のタイミングで、第２の音量調節操作手段３３の音量アップキー３１（音量ダウンキー３２）を単独で１回押す。すると、コントロール部３７は図１０のステップＳ２２０（図１１のステップＳ２４０）でＹＥＳと判断し、音量ダウンキー３２（音量アップキー３１）が同時押しされたか判別し（ステップＳ２２１（Ｓ２４１））、ＮＯなので、ビープ音発生部１９を制御し、短時間だけビープ音信号を発生させ、ビープ音スピーカ２０からビープ音を出力させる（ステップＳ２２２（Ｓ２４２））。そして、第２の音量調節操作手段３３の現在の音量調節対象項目である第２の音量調節モードが呼び出し音量なので呼び出し音量データＶＤＡを１段階大きく（小さく）する（ステップＳ２２３、Ｓ２２４（Ｓ２４３、Ｓ２４４））。
【００３２】
そして、Ｆ＝０であり、拡声スピーカ１１を用いてハンズフリー通話中でなくメッセージ再生出力中でもなければ、呼び出し音量データＶＤＡに基づき電子ボリューム部１３に対する音量制御をし、呼び出し音量を１段階増大（減少）させる（ステップＳ２２５、Ｓ２２６（Ｓ２４５、Ｓ２４６））。そして、表示部３５にＶＤＡに基づき現在の呼び出し音量と音量調節対象項目名を、第２の音量調節操作手段３３のキー配置と同じく横方向のバーグラフで一定時間表示させる（ステップＳ２２７（Ｓ２４７）。図１３の（１）参照）。呼び出し音量のバーグラフ表示が第２の音量調節操作手段３３のキー配置と同じ方向でなされるとともに、受話器の受話音量や拡声音量とは直交する方向になされるので、所望の音量調節項目について正しく操作しているか容易に判断できる。
若し、ステップＳ２２５（Ｓ２４５）でＦ＝１のときは、次にＦ＝０となった所で、呼び出し音量データＶＤＡに基づき電子ボリューム部１３に対する音量制御をし、呼び出し音量を１段階増大（減少）させる（図４のステップＳ４１または図６のステップＳ７４または図８のステップＳ１０９、図２のステップＳ１４、Ｓ１５）。
【００３３】
呼び出し音量の増大（減少）操作の結果、その後の呼び出し音の音量が１段階増大（減少）するので、聴きやすくなる。しかも、呼び出し音の音量調節頻度は比較的小さいが、受話器の受話音量や拡声音量の如く比較的音量調節頻度の高い音量調節項目用の第１の音量調節操作手段３０ではなく、第１の音量調節操作手段３０とは別個に設けた第２の音量調節操作手段３３を用いて呼び出し音の音量調節を行うようになっているので、音量調節項目と音量調節操作手段との対応関係が判りやすい。よって、呼び出し音量の調節をしたいのに、間違って第１の音量調節操作手段３０を操作し、呼び出し音量以外の項目を調節してしまう恐れが小さくなる。また、呼び出し音量の調節操作をいつでも行うことができる。
【００３４】
（１０）ビープ音量の調節
また、キー操作確認音としてのビープ音量を標準音量から変えたい場合、待機中（待ち受け中）、呼び出し中、通話中、留守録モード中等の任意のタイミングで、第２の音量調節操作手段３３の音量アップキー３１と音量ダウンキー３２を同時押しする。すると、コントロール部３７は図１０のステップＳ２２０（図１１のステップＳ２４０）でＹＥＳと判断し、音量ダウンキー３２（音量アップキー３１）が同時押しされたか判別し（ステップＳ２２１（Ｓ２４１））、ここでもＹＥＳなので、ビープ音発生部１９を制御し、短時間だけビープ音信号を発生させ、ビープ音スピーカ２０からビープ音を出力させる（ステップＳ２２８（Ｓ２４８））。そして、今回、音量アップキー３１と音量ダウンキー３２が同時押しされたことから、第２の音量調節モードの変更操作がされたと判断し、第２の音量調節モードを或る一定時間Ｔ0 （例えば、Ｔ0 ＝２０秒）だけビープ音量とする。具体的には、第２の音量調節モードをビープ音量とし、タイマをスタートさせる（ステップＳ２２９、Ｓ２３０（ステップＳ２４９、Ｓ２５０））。そして、タイマが計時中の間タイマの計時時間ｔがＴ0 以上になったかチェックし（図１１のステップＳ２５４、Ｓ２５５）、ｔがＴ0 以上になれば第２の音量調節モードを呼び出し音量に戻し、タイマを停止させる（ステップＳ２５６、Ｓ２５７）。
【００３５】
第２の音量調節モードが一定時間Ｔ0 だけビープ音量となっている間に、第２の音量調節操作手段３３の音量アップキー３１（音量ダウンキー３２）が単独で１回押されると、コントロール部３７は、ビープ音発生部１９を制御し、短時間だけビープ音を出力させる（図１０のステップＳ２２０〜Ｓ２２２（図１１のステップＳ２４０〜Ｓ２４２））。そして、今回、音量アップキー３１（音量ダウンキー３２）が単独で押されたことから、第２の音量調節操作手段３３の現在の音量調節対象項目に対する音量調節操作がされたと判断し、第２の音量調節モードがビープ音量なのでビープ音量データＶＤＢを１段階大きく（小さく）する（ステップＳ２２３、Ｓ２３１（Ｓ２４３、Ｓ２５１））。そして、ＶＤＢに基づき電子ボリューム部２１に対する音量制御をし、ビープ音量を１段階増大（減少）させる（ステップＳ２３２（Ｓ２５２））。そして、表示部３５にＶＤＢに基づき現在のビープ音量と音量調節対象項目名を、第２の音量調節操作手段３３のキー配置と同じく横方向のバーグラフで一定時間表示させる（ステップＳ２３３（Ｓ２５３））。これにより、その後のビープ音の音量が１段階増大（減少）するので、聴きやすくなる。また、ビープ音量のバーグラフ表示が第２の音量調節操作手段３３のキー配置と同じ方向でなされるとともに、受話器の受話音量や拡声音量とは直交する方向になされるので、所望の音量調節項目について正しく操作しているか容易に判断できる。
【００３６】
しかも、ビープ音の音量調節頻度は比較的小さいが、受話器の受話音量や拡声音量の如く比較的音量調節頻度の高い音量調節項目用の第１の音量調節操作手段３０ではなく、第１の音量調節操作手段３０とは別個に設けた第２の音量調節操作手段３３を用いてビープ音の音量調節を行うようになっているので、音量調節項目と音量調節操作手段との対応関係が判りやすい。よって、ビープ音量の調節をしたいのに、間違って第１の音量調節操作手段３０を操作し、呼び出し音量以外の項目を調節してしまう恐れが小さくなる。
【００３７】
この実施の形態によれば、受話器の受話音量と、ハンズフリー通話時の拡声スピーカの拡声音量または留守録音メッセージの再生時の拡声スピーカの拡声音量の如く、音量調節頻度が比較的高い音声に関係する音量調節項目は、第１の音量調節操作手段３０により兼用して、音量調節モードを切り換えて個別に音量調節するようにし、呼び出し音量とビープ音量の如く、音量調節頻度が比較的小さい音声に関係しない音量調節項目は、第１の音量調節操作手段３０とは別に設けた第２の音量調節操作手段３３により兼用して、音量調節モードを切り換えて個別に音量調節するようにしたので、音量調節項目と音量調節操作手段との対応関係が判りやすい。具体的には、通話中の相手の声の大小や、留守録音メッセージの声の大小に応じて、頻繁に調節する音声に関係する項目は同じ操作手段を繰り返し使用することで、操作間違いが少なくなる。一方、まれにしか調節することのない音声に関係しない項目は、音声に関して使用する操作手段とは異なる操作手段を用いることがすぐに判るので、操作間違いが少なくなる。よって、受話器の受話音量や拡声スピーカの拡声音量の調節をしたいのに、間違って第２の音量調節操作手段３３を操作し、音声に関係しない項目を調節してしまう恐れが小さくなり、同様に、呼び出し音量やビープ音量の調節をしたいのに、間違って第１の音量調節操作手段３０を操作し、音声に関係する項目を調節してしまう恐れが小さくなる。
また、第１の音量調節操作手段３０では音声に関係する或る特定の調節項目しか調節できない場面でも、第２の音量調節操作手段３３を用いて呼び出し音等の音声に関係しない項目の調節が可能である。
【００３８】
そして、第１の音量調節操作手段３０の音量調節モードは、受話器での通話中は自動的に受話器の受話音量に切り換わり、ハンズフリー通話モードにより拡声スピーカ１１から相手方の音声を拡声出力中またはメッセージを拡声スピーカ１１から音声出力中は自動的に拡声スピーカの拡声音量に切り換わる。よって、受話器での通話中に受話音量が小さい（大きい）と思ったとき、すぐに第１の音量調節操作手段３０で音量調節操作をすれば受話中の音量をすぐに増大（減少）でき、ハンズフリー通話モードにより拡声スピーカ１１から相手方の音声を拡声出力中またはメッセージを拡声スピーカ１１から音声出力中に拡声音量が小さい（大きい）と思ったとき、すぐに第１の音量調節操作手段３０で音量調節操作をすれば拡声音量をすぐに増大（減少）できるので、第１の音量調節操作手段３０の音量調節モードをユーザがマニュアル操作で切り換えなくて済み、便利である。待機中は、第１の音量調節操作手段３０の音量調節モードは、自動的に受話器の受話音量に切り換わるので、待機中に受話器の受話音量を調節することもできる。
【００３９】
また、第２の音量調節操作手段３３の音量調節モードは、通常は呼び出し音量に切り換わっているので、呼び出し音の出力中に呼び出し音量が小さい（大きい）と思ったとき、すぐに第２の音量調節操作手段３３で音量調節操作をすれば呼び出し中の呼び出し音量をすぐに増大（減少）でき、呼び出し後の通話中や通話後に、第２の音量調節操作手段３３で音量調節操作をすれば次の呼び出し時の呼び出し音量を増大（減少）できるなど、所望時に呼び出し音量を調節できる。
また、第２の音量調節操作手段３３の音量アップキー３１と音量ダウンキー３２を同時押しすることで、第２の音量調節操作手段３３の音量調節モードを一時的にビープ音量とすることができ、第２の音量調節操作手段３３の音量調節モードがビープ音量となっている間に第２の音量調節操作手段３３で音量調節操作をすれば次にビープ音を発生する際のビープ音量を増大（減少）できる。
【００４０】
また、第１の音量調節操作手段３０は上と下に配置された音量アップキー２８と音量ダウンキー２９とし、第２の音量調節操作手段３３は第１の音量調節操作手段３０の近傍で右と左に配置された音量アップキー３１と音量ダウンキー３２としたことで、音量調節操作をキー操作部２４の特定箇所で集中して行えるため、音量調節の操作場所を探さなくて済み、第１の音量調節操作手段３０と第２の音量調節操作手段３３とでキーの配置方向を９０°変えたことで第１の音量調節操作手段３０と第２の音量調節操作手段３３の混同による操作ミスを防ぐことができる。
また、受話器の受話音量と拡声スピーカの拡声音量の如く、音量調節頻度が比較的高い音声に関係する音量調節項目の音量調節をした場合と、呼び出し音量とビープ音量の如く音量調節頻度が比較的低い音声に関係しない音量調節項目の音量調節をした場合とで、音量アップキーと音量ダウンキーのキー配置方向に合わせて音量のバーグラフ表示方向が変わるようにしたため、音量調節項目と音量調節操作手段との対応関係が視覚的にも判りやすくなり、誤操作の恐れが一層少なくなる。
【００４１】
なお、上記した実施の形態では、第２の音量調節操作手段は呼び出し音量の調節操作とビープ音量の調節操作を兼用して行えるようにしたが、呼び出し音量の調節操作だけ行えるようにしても良い。この場合、呼び出し音量の調節操作は待機中、呼び出し中、通話中等の電話機の動作状態によらず、いつでも行える。
【００４２】
また、上記した実施の形態では、通常は第２の音量調節モードを呼び出し音量として呼び出し音量の調節操作は殆どいつでもできるようにし、ビープ音量の調節操作は、一時的に第２の音量調節モードを呼び出し音量からビープ音量に切り換えている間だけできるようにしたが、反対に、通常は第２の音量調節モードをビープ音量としてビープ音量の調節操作は殆どいつでもできるようにし、呼び出し音量の調節操作は、第２の音量調節操作手段３３の音量アップキー３１と音量ダウンキー３２を同時押しするなどして、一時的に第２の音量調節モードをビープ音量から呼び出し音量に切り換えている間だけできるようにしても良い。
【００４３】
また、電話機の動作状態に応じて、呼び出し中（呼び出し中と通話中）は第２の音量調節モードを強制的に呼び出し音量とし、呼び出し中（呼び出し中と通話中）以外は、通常は呼び出し音量とし、音量アップキー３１と音量ダウンキー３２の同時押し等のユーザのモード切り換え操作がされたとき、或る時間だけ一時的にビープ音量としても良い。具体的には、図９〜図１１の割り込み処理の内、図１１の部分を図１４の如く変形し、ステップＳ２５５でＮＯとなったとき、ステップＳ２５８へ進み呼び出し中（呼び出し中または通話中）かチェックし（呼び出し中か否かのチェックは例えば着信検出部３の出力を監視して行うことができ、通話中か否かのチェックは例えば、フックスイッチ１０がオフフック状態に有るか否かと（フックスイッチ１０がオフフック状態にあるときは通話中とする）、ハンズフリー通話モードとなっているか否かのチェックで簡単に行える）、ＹＥＳであれば、第２の音量調節モードを強制的に呼び出し音量とすれば良い（ステップＳ２５６、Ｓ２５７）。
【００４４】
また、これと異なり、電話機の動作状態に応じて、呼び出し中（呼び出し中と通話中）は第２の音量調節モードを強制的に呼び出し音量とし、呼び出し中（呼び出し中と通話中）以外は、通常はビープ音量とし、音量アップキー３１と音量ダウンキー３２の同時押し等のユーザのモード切り換え操作がされたとき、或る時間だけ一時的に呼び出し音量としても良い。
【００４５】
また、電話機の動作状態に応じて、待機中（待機中と呼び出し中）は第２の音量調節モードを強制的に呼び出し音量とし、待機中（待機中と呼び出し中）以外は、通常は呼び出し音量とし、音量アップキー３１と音量ダウンキー３２の同時押し等のユーザのモード切り換え操作がされたとき、或る時間だけ一時的にビープ音量としても良い。また、待機中（待機中と呼び出し中）は第２の音量調節モードを強制的に呼び出し音量とし、待機中（待機中と呼び出し中）以外は、通常はビープ音量とし、音量アップキー３１と音量ダウンキー３２の同時押し等のユーザのモード切り換え操作がされたとき、或る時間だけ一時的に呼び出し音量としても良い。
【００４６】
また、第１の音量調節操作手段３０は上と下に配置された音量アップキー２８と音量ダウンキー２９とし、第１の音量調節操作手段３０で音量調節操作されたときの音量は上下に変化するバーグラフで表示するようにし、第２の音量調節操作手段３３は左と右に配置された音量アップキー３１と音量ダウンキー３２とし、第２の音量調節操作手段３３で音量調節操作されたときの音量は左右に変化するバーグラフで表示するようにしたが、反対に、第１の音量調節操作手段３０は左と右に配置された音量アップキー３１と音量ダウンキー３２とし、第１の音量調節操作手段３０で音量調節操作されたときの音量は図１３の如く、左右に変化するバーグラフで表示するようにし、第２の音量調節操作手段３３は上と下に配置された音量アップキー２８と音量ダウンキー２９とし、第２の音量調節操作手段３３で音量調節操作されたときの音量は図１２の如く、上下に変化するバーグラフで表示するようにしても良い。
また、電話機は固定電話機のほか携帯電話機、ＰＨＳなどにも同様に適用することができる。
【００４７】
【発明の効果】
本発明によれば、例えば受話器の受話音量と拡声スピーカの拡声音量の如く、音量調節頻度が比較的高い音声に関係する音量調節項目は、第１の音量調節操作手段により兼用して、音量調節モードを切り換えて個別に音量調節するようにし、例えば呼び出し音量とビープ音量の如く、音量調節頻度が比較的小さい音声に関係しない音量調節項目は、第１の音量調節操作手段とは別に設けた第２の音量調節操作手段により音量調節するようにしたので、音量調節項目と音量調節操作手段との対応関係が判りやすくなり、誤操作の恐れが減る。
【図面の簡単な説明】
【図１】本発明の一つの実施の形態に係る音量調節機能付の電話機の構成図である。
【図２】コントロール部のメインの制御処理を示すフローチャートである。
【図３】コントロール部のメインの制御処理を示すフローチャートである。
【図４】コントロール部のメインの制御処理を示すフローチャートである。
【図５】コントロール部のメインの制御処理を示すフローチャートである。
【図６】コントロール部のメインの制御処理を示すフローチャートである。
【図７】コントロール部のメインの制御処理を示すフローチャートである。
【図８】コントロール部のメインの制御処理を示すフローチャートである。
【図９】コントロール部の割り込み処理を示すフローチャートである。
【図１０】コントロール部の割り込み処理を示すフローチャートである。
【図１１】コントロール部の割り込み処理を示すフローチャートである。
【図１２】第１の音量調節操作手段が操作されたときの音量表示の説明図である。
【図１３】第２の音量調節操作手段が操作されたときの音量表示の説明図である。
【図１４】図１１の変形例に係るフローチャートである。
【符号の説明】
１  回線                          ２  回線接続部
３  着信検出部                    ４  受話器
５  受話スピーカ                  ６  送話マイク
７、１３、２１  電子ボリューム部  １０  フックスイッチ
１１  拡声スピーカ                １２  マイク
１６  録音・再生部                １７、１８  録音媒体
１９  ビープ音発生部              ２０  ビープ音スピーカ
２４  キー操作部                  ２６  留守録キー
２７  ハンズフリー通話用フックキー
２８、３１  音量アップキー        ２９、３２  音量ダウンキー
３０  第１の音量調節操作手段      ３３  第２の音量調節操作手段
３４  メモリ部                    ３５  表示部
３６  トーン発生部                ３７  コントロール部
【図１】
0003820129.tif 000002
【図２】
0003820129.tif 000003
【図３】
0003820129.tif 000004
【図４】
0003820129.tif 000005
【図５】
0003820129.tif 000006
【図６】
0003820129.tif 000007
【図７】
0003820129.tif 000008
【図８】
0003820129.tif 000009
【図９】
0003820129.tif 000010
【図１０】
0003820129.tif 000011
【図１１】
0003820129.tif 000012
【図１２】
0003820129.tif 000013
【図１３】
0003820129.tif 000014
【図１４】
0003820129.tif 000015